(57)【要約】【課題】ラチェットの回転方向を自由に変換可能なラチェットレンチを提供する。【解決手段】レンチ本体１１の一端に、収納部１４を有する環状の作用端１２を備える。収納部１４の側壁には二つのガイド溝１７を開設する。ラチェット２１は収納部１４に収納する。二つの係止コンポーネント３１はそれぞれ二つのガイド溝１７内に設置し、それぞれラチェット２１に対して一方に係止する機能をもたせる。制御部材４１は回転可能な方式で作用端１２に取り付ける。制御部材４１には推進面４７を備え、制御部材４１を回転させると、推進面４７は係止コンポーネント３１に当接する。ラチェット２１の係止作用を解除し、制御部材４１の推進面４７の位置を変えると、ラチェット２１の回転可能な方向を変えることができる。【選択図】図1
0003143730.tif 000002
【実用新案登録請求の範囲】
【請求項１】
収納部を設けた環状の作用端とハンドルとを有し、前記収納部の一端に環状凹部を設け、前記収納部の側壁に二つのガイド溝を設けるレンチ本体と、
外周囲にリングギアを環状に有し、その中心位置に作動部を設け、前記レンチ本体の収納部に収納されるラチェットと、
前記ガイド溝の開口端に設けた係止ブロックと弾性部材とを有し、前記弾性部材は前記ガイド溝の底縁に取り付けて前記係止ブロックに当接し、前記係止ブロックは前記収納部の一端に向けて係止ギアを形成し、前記係止ギア上の受圧面は前記ラチェットのリングギアと対応し、前記ラチェットのリングギアを一方に係止する、前記ガイド溝内に設ける二つの係止コンポーネントと、
前記制御部材と前記環状凹部が相互に当接する端面に推進面を設け、前記制御部材を回転させて前記推進面を前記係止コンポーネントの前記係止ブロックの前記受圧面に当接させ、前記係止ブロックを内部に収縮させて前記ラチェットの係止を解除する、前記環状凹部に回転可能に設ける制御部材と、
を含むことを特徴とするラチェットレンチ。
【請求項２】
、
前記レンチ本体の前記作用端の端面に切欠溝を凹設し、前記切欠溝には制御孔を設けて弾性部材とプッシュボタンとを順番に前記制御孔に取り付け、前記制御部材のスイッチ部は前記レンチ本体のハンドル方向に向かって前記切欠溝より後方に延伸し、前記スイッチ部の内側には複数の位置決め溝を設け、前記切欠溝の両側はそれぞれ位置限定部を形成し、前記スイッチ部の一側は前記切欠溝の一側の位置限定部に係止され、前記スイッチ部の内側の位置決め溝を前記制御孔のプッシュボタンと相互に係止させることを特徴とする請求項1に記載するラチェットレンチ。
【考案の詳細な説明】
【技術分野】
【０００１】
本考案はハンドツールに関し、特にラチェットレンチに関する。
【背景技術】
【０００２】
従来のラチェットレンチの構成を図７に示す。ハンドル９０の頂端に位置する頭部９１を備え、頭部９１は収納スペース９２を有してラチェット９３を収納し、収納スペース９２の壁面にホール９４を設けて、ホール９４の中に順番に係止ブロック９５、スプリング９６及び螺合台座９７を取り付ける。さらに、スプリング９６は係止ブロック９５に当接することによって、係止ブロック９５をラチェット９３の外周と互いに噛み合わせ、またラチェット９３に一方を係止する機能をもたせている。
【０００３】
図７に見られるように、この種の従来のラチェットレンチを製造する場合、直接収納スペース９２の壁面にホール９４を貫通させるが、こうすると頭部９１の強度が脆くなる。また前記ラチェットレンチに大きな力が作用すると、頭部９１が断裂して損壊するような状況が起こり得る。
【０００４】
また、前記ラチェットレンチのラチェット９３が係止ブロック９５の提供する一方の係止作用により、ラチェット９３は固定された回転可能な方向を有するだけとなることから、業務の必要に応じてラチェット９３の回転可能な方向を自由に変換することができない。このため前記の様な従来のラチェットレンチは完全とはいえず、なお改良の余地が残されている。
【考案の開示】
【考案が解決しようとする課題】
【０００５】
本考案の主な目的は、簡易な構成であって、良好な強度を兼ね備え、また製造コストをダウンし、且つラチェットレンチの耐用年数を延ばすことが可能なラチェットレンチを提供することにある。
【０００６】
本考案のもう一つの目的は、業務の必要の違いに応じて、ラチェットの回転できる方向を自由に変換可能なラチェットレンチを提供することにある。
【課題を解決するための手段】
【０００７】
上記の目的を達するため本考案によるラチェットレンチは、主としてレンチ本体、ラチェット、二つの係止コンポーネント、制御部材を備える。
レンチ本体は、作用端とハンドルを備える。前記作用端は環状であり収納部を有する。前記収納部の一端には環状凹部を有し、前記収納部の側壁には二つのガイド溝を開設する。
ラチェットは外周囲にリングギアを環装し、その中心位置に作動部を形成する。前記ラチェットは、前記レンチ本体の収納部に収納する。
二つの係止コンポーネントは、それぞれ前記各ガイド溝内に設置する。二つの係止コンポーネントのそれぞれは、係止ブロックと弾性部材で構成する。前記係止ブロックは前記ガイド溝の開口端に設ける。前記弾性部材は前記ガイド溝の底縁に取り付けて前記係止ブロックに当接する。前記係止ブロックは前記収納部の一端に向けて係止ギアを形成する。前記係止ブロックは、前記ラチェットのリングギアと対応する。前記係止ブロックは、前記ラチェットのリングギアに前記係止ギアの一方を係止する。
制御部材は、回転可能な方式で前記環状凹部に設ける。前記制御部材と前記環状凹部が互いに当接する端面に推進面を備える。前記制御部材を回転させることによって前記推進面を係止コンポーネントの係止ブロックに当接させ、前記係止ブロックを内側に収縮させて前記ラチェットの係止を解除する。
【考案を実施するための最良の形態】
【０００８】
（一実施形態）
以下、本考案の一実施形態を図面に基づいて説明する。
まず、図１に示す本実施形態は、主としてレンチ本体１１、ラチェット２１、二つの係止コンポーネント３１、制御部材４１を備える。
【０００９】
レンチ本体１１は、作用端１２と、力を提供するハンドル１３を備える。
作用端１２は環状であり収納部１４を備える。収納部１４の底端は、当接部１５を環装し、当接部１５に対向する端にある収納部１４の内縁には環状凹部１６を設ける。収納部１４の内側壁には、収納部１４に繋がる二つのガイド溝１７を設ける。また、レンチ本体１１の作用端の端面に切欠溝１８を凹設すると共に、切欠溝１８の中には制御孔１８１を設ける。制御孔１８１には、弾性部材１９１とプッシュボタン１９２とを順番に設ける。切欠溝１８の両側にはそれぞれ位置限定部１８２を形成する。
【００１０】
ラチェット２１はその外周囲に外側に突起したリングギア２２を環装し、ラチェット２１の中心位置には作動部２４を設ける。本実施形態において作動部２４は、ラチェット２１の内側に多角形の形状をなす孔となっている。ラチェット２１はレンチ本体１１の収納部１４に収納され、ラチェット２１の一側を収納部１４底端の当接部１５に当接させる。
【００１１】
二つの係止コンポーネント３１は、それぞれ各ガイド溝１７内に設ける。係止コンポーネント３１はそれぞれ係止ブロック３２と弾性部材３３で構成する。係止ブロック３２はガイド溝１７の開口端に設ける。弾性部材３３はガイド溝１７の底縁に設けて係止ブロック３２に当接する。また係止ブロック３２の外形は、ちょうどガイド溝１７とぴったりと合う形状である。
【００１２】
係止ブロック３２はガイド溝１７に沿ってスライドしシフトする。係止ブロック３２がスライドすると、ガイド溝１７の内径に制限されて、係止ブロック３２がスライドするときの行程を効果的に修正することができる。
また、係止ブロック３２は、収納部１４の一端に向かって係止ギア３４を形成する。係止ギア３４はラチェット２１上のリングギア２２と相互に対応する。係止ブロック３２を弾性部材３３に当接させることによって、係止ギア３４をラチェット２１のリングギア２２を一方に係止する。係止ギア３４は受圧面３６を備える。
【００１３】
制御部材４１は、回転可能な方式で作用端１２の管状凹部１６に設置する。制御部材４１の周面には凹溝４２を環状に設ける。スナップリング４４は凹溝４２に嵌設する。制御部材４１はその一端が収納部１４内の環状凹部１６と当接し、さらにその周面のスナップリング４４は環状凹部１６上縁の位置決め溝４６と互いに係止する。
【００１４】
ラチェット２１の一側は当接部１５に当接し、他側は制御部材４１と互いに当接する。また、制御部材４１と環状凹部１６が互いに当接する端面には推進面４７を設ける。制御部材４１を回転させることにより、推進面４７が係止コンポーネント３１の係止ブロック３２の受圧面３６に当接する。係止ブロック３２を内側に収縮させてラチェット２１の係止作用を解除し、制御部材４１がレンチ本体１１のハンドル１３方向にスイッチ部４８を延伸させ、且つスイッチ部４８は切欠溝１８から後方へ延伸する。スイッチ部４８の内側に複数の位置決め溝４９を設ける。各位置決め溝４９はそれぞれ制御孔１８１の中のプッシュボタン１９２と相互に対応してスイッチ部４８を係止する。
【００１５】
本実施形態によるラチェットレンチを利用する場合、図２で示す様に、ユーザーはラチェット２１の多角形の孔の作動部２４をナット（図示せず）に嵌合すると、まず制御部材４１のスイッチ部４８を回して、スイッチ部４８の一側を切欠溝１８の一側の位置限定部１８２に係止する。このときスイッチ部４８の内側の位置決め溝４９は制御孔１８１のプッシュボタン１９２と相互に係止することによって、制御部材４１が回転した後の位置に位置決めすることができる。
【００１６】
また図３で示す様に、制御部材４１の推進面４７を回転させ、係止コンポーネント３１Ａの係止ブロック３２Ａの受圧面３６Ａに当接させて、係止ブロック３２Ａをガイド溝１７Ａに沿って内側に収縮させると、他側の係止ブロック３２Ｂの係止ギア３４Ｂは弾性部材３３Ｂに支持されて、ラチェット２１のリングギア２２と相互に噛み合わさって一方に係止する役割を果たす。
【００１７】
これによって、ユーザーは前記ラチェットレンチを一方に回転し、ラチェット２１の多角形孔の作動部２４にあるナットに嵌合して締めたり緩めたりする作業を行う。このとき、他側の係止ブロック３２Ｂがちょうどガイド溝１７Ｂに収納されることから、ラチェット２１は他側の係止ブロック３２Ｂに係止される。ラチェットレンチ本体１１を回転すると、係止ブロック３２Ｂはガイド溝１７Ｂの内壁と当接することによって、係止ブロック３２Ｂの放射状支持力を効果的に高める。このようにして、本実施形態によるとラチェットレンチの耐用年数を延ばすことができる。
【００１８】
レンチ本体１１が他側方向に回転すると、係止ブロック３２Ｂはレンチ本体１１が回転するときに生じる逆方向の応力に影響されて、ラチェット２１のリングギア２２を係止ブロック３２Ｂに当接させ、弾性部材３３Ｂを圧縮させて係止ブロック３２Ｂをガイド溝１７Ｂに沿って内部に収縮させ、係止ブロック３２Ｂのリングギア３４Ｂとラチェット２１のリングギア２２間の係止状態を解除する。
【００１９】
このように、レンチ本体１１はラチェット２１を同時に回転させないという前提の下に、自ら他側方向に回転する。且つ係止ブロック３２Ｂはリングギア２２に圧迫されてガイド溝１７Ｂに沿って内部に収縮する場合、ガイド溝１７Ｂは係止ブロック３２Ｂがシフトするときに軌道修正機能を有するため、係止ブロック３２Ｂが力を受けてシフトするときに片寄る状況が起きない。
【００２０】
ユーザーがラチェット２１の回転可能な方向を変えようとする場合、図４で示す様に、制御部材４１のスイッチ部４８を別の方向に向けて回すだけでよい。制御部材４１の推進面４７を別の係止コンポーネント３１Ｂの係止ブロック３２Ｂの受圧面３６Ｂに当接させると、ユーザーは制御部材４１の推進面４７の位置を調整することによって、係止ブロック３２Ａ、３２Ｂのラチェット２１への係止作用により、ラチェット２１の回転可能な方向を変える。且つ制御部材４１のスイッチ部４８の側辺が切欠溝１８の一側の位置限定部１８２に係止され、また制御部材４１のスイッチ部４８の位置決め溝４９がプッシュボタン１９２と相互に係止することによって、制御部材４１を回転後の位置に固定することができる。
【００２１】
続いて図５では、制御部材４１のスイッチ部４８の中間位置において、位置決め溝４９とプッシュボタン１９２とが相互に係止している。制御部材４１はこの位置にあるので、その推進面４７は係止ブロック３２Ａ、３２Ｂの受圧面３６Ａ、３６Ｂとも相互に接触しない。このためラチェット２１のリングギア２２は、同時に両側方向の係止ブロック３２Ａ、３２Ｂに係止されて、ラチェット２１を絶対的に固定して何れの側の方向にも回転しない固定された状態にする。
【００２２】
（他の実施形態）
本考案の他の実施形態を図６に示す。ラチェット２１の中心に設置した作動部２４は角柱であることから、本実施形態のラチェットレンチは四角の孔の部材にロックすることもできる。
上記の実施形態は本考案を説明するためのものであり、本考案を何等制限するものではない。上述のようにスムースに部材をロックしたり緩めたりする動作を行うことができる実施形態は、何れも本考案に等価な実施形態である。
【図面の簡単な説明】
【００２３】
【図１】本考案の一実施形態によるラチェットレンチの分解斜視図。
【図２】本考案の一実施形態によるラチェットレンチの制御部材のスイッチ部を回したときの状態を示す模式図。
【図３】本考案の一実施形態によるラチェットレンチの制御部材の推進面が係止ブロックに当接したときの状態を示す模式図。
【図４】本考案の一実施形態によるラチェットレンチの制御部材の推進面が別の係止ブロックに当接したときの状態を示す模式図。
【図５】本考案の一実施形態によるラチェットレンチの中間位置の位置決め溝と制御部材が相互に係止した状態を示す模式図。
【図６】本考案の他の実施形態によるラチェットレンチの分解斜視図。
【図７】従来のラチェットレンチの断面を示す模式図。
【符号の説明】
【００２４】
１１：レンチ本体、１２：作用端、１３：ハンドル、１４：収納部、１５：当接部、１６：環状凹部、１７：ガイド溝、１８：切欠溝、１８１：制御孔、１８２：位置限定部、１９１、３３：弾性部材、１９２：プッシュボタン、２１：ラチェット、２２：リングギア、２４：作動部、３１：係止コンポーネント、３２：係止ブロック、３４：係止ギア、３６：受圧面、４１：制御部材、４２：凹溝、４４：スナップリング、４６：位置決め溝、４７：推進面、４８：スイッチ部、４９：位置決め溝
【図１】
0003143730.tif 000003
【図２】
0003143730.tif 000004
【図３】
0003143730.tif 000005
【図４】
0003143730.tif 000006
【図５】
0003143730.tif 000007
【図６】
0003143730.tif 000008
【図７】
0003143730.tif 000009